(57)【要約】【課題】  取付部材の厚さが変化しても取付部材を傷付けることなく押さえることのできる、巾木等の仮止め具を提供する。【解決手段】  巾木等の取付部材２９がボード等の被取付部材３０に接着剤によって固着されるまで取付部材を被取付部材に一時的に押さえる仮止め具１０は、一端部分１１が取付部材に延び出るように中間部分１３が被取付部材に取付けられて前記一端部分１１で取付部材を押さえるように構成された押さえプレート１５を包含し、押さえプレートの他端部分１４には、押さえプレートの前記一端部分が取付部材２９の面を平行に押さえることができるように他端部分１４の高さを調整する高さ調整手段１８が設けられて成る。【選択図】          図６
2005113530.tif 000002
【特許請求の範囲】
【請求項１】
巾木や天井回り縁木等の取付部材がボード等の被取付部材に接着剤によって固着されるまで前記取付部材を被取付部材に一時的に押さえるための仮止め具において、
一端が前記取付部材に延び出るように中間部分が前記被取付部材に取付けられて前記一端で取付部材を押さえるように構成された押さえプレートを包含し、該押さえプレートの他端には、前記押さえプレートの前記一端部分が前記取付部材面を平行に押さえることができるように該他端の高さを調整する高さ調整手段が設けられて成る、ことを特徴とする仮止め具。
【請求項２】
請求項１に記載の仮止め具において、前記押さえプレートはプラスチック材料のほぼ平坦な板として形成されたことを特徴とする仮止め具。
【請求項３】
請求項２に記載の仮止め具において、前記高さ調整手段は、前記押さえプレートを貫通するように前記他端に設けられたナットと、該ナットに螺入して押さえプレートを貫通し一端が前記被取付部材に接触するボルト部材と、該ボルト部材の他端側に設けられてボルト部材を回転するためのノブとを包含することを特徴とする仮止め具。
【請求項４】
請求項３に記載の仮止め具において、前記押さえプレートの中間部分は両端よりも厚く形成された被取付部材取付部として形成され、該被取付部材取付部には、釘やビス等の固着具を打込むための、固着具穴が形成されていることを特徴とする仮止め具。
【発明の詳細な説明】
【技術分野】
【０００１】
本発明は、巾木や天井回り縁木等の取付部材がボード等の被取付部材に接着剤によって固着されるまで取付部材を被取付部材に一時的に押さえるための仮止め具に関する。
【背景技術】
【０００２】
建築現場において、床面と壁部ボードとの間に固着される巾木と呼ばれる化粧板や壁部ボードと天井回りとの間の縁木を固着するのに、接着剤が用いられることが多い。多くの接着剤は固化するまで一定の時間が必要であり、その間、巾木等の取付部材をボード等の被取付部材に一時的に押さえねばならない。この一時的な押さえすなわち仮止めのため、従来から、仮止め金具等の仮止め具が用いられている。
【０００３】
代表的な仮止め金具を図１に示す。仮止め金具１は、一端に巾木等の取付部材を押さえる押さえ部２が形成され、他端及び中間部分を含む取付部３は、ボード等の被取付部材に取付けられるように平坦に形成されている。仮止め金具１は、押さえ部２が壁部ボード等の被取付部材の面から一定高さにある巾木等の取付部材の面を押さえるように、取付部３と押さえ部２との間の部分５がほぼＬ型に折曲げられている。仮止め金具１は、接着剤で貼り付けた取付部材の接着剤が乾燥して密着するまでの間、取付部材が被取付部材から剥がれたり浮き上がったりしないように被取付部材に取付部材を押さえる。そのため、仮止め金具１の取付部３に形成された固着具穴６に、例えば、図２に示す２重頭釘７が打込まれて被取付部材に固着される。被取付部材に固着された仮止め金具１の押さえ部２は取付部材を押さえる。なお、仮止め金具１は、接着剤が固化して被取付部材に取付部材が固着した後には被取付部材から取外される。２重頭釘７は、図２の下側の頭から上側部分が仮止め金具１から突出しているので取外しのとき工具で掴み易く、取外し作業が容易にできる。
【発明の開示】
【発明が解決しようとする課題】
【０００４】
仮止め金具１は、簡単な構造であり、被取付部材への取付けも例えば２重頭釘を打込むだけでよく、取付けも容易であるという利点を有する。しかし、取付部３に対する押さえ部２の高さは一定に定まっているので、巾木等の取付部材の厚さの変化によって高さが合わなくなると、適正な押さえができなくなる。薄過ぎる取付部材の場合には押さえ部２と取付部材の間に何らかの介在物を挿入すればよいが、厚過ぎる取付部材の場合には、取付部材を押さえ過ぎて巾木等の化粧板を傷つけたり、押さえ部２の端縁が取付部材に食い込むようになって、その表面を傷付ける虞れがある。
【０００５】
従って、本発明の目的は、取付部材の厚さが変化しても取付部材を傷付けることなく押さえることのできる、巾木等の仮止め具を提供することにある。
【課題を解決するための手段】
【０００６】
上記目的を達成するため、巾木や天井回り縁木等の取付部材がボード等の被取付部材に接着剤によって固着されるまで取付部材を被取付部材に一時的に押さえるための、本発明に係る仮止め具は、一端が取付部材に延び出るように中間部分が被取付部材に取付けられて前記一端で取付部材を押さえるように構成された押さえプレートを包含し、該押さえプレートの他端には、押さえプレートの前記一端部分が前記取付部材面を平行に押さえることができるように該他端の高さを調整する高さ調整手段が設けられて成る、ことを特徴とする。
【０００７】
上記の仮止め具によれば、一端が取付部材を押さえる押さえプレートの他端に高さ調整手段が設けられ、この高さ調整手段によって、押さえプレートの前記一端部分が取付部材面を平行に押さえるように調整できるので、押さえプレートは、巾木等の取付部材の面全体を押圧して端縁が食い込むことがなくなり、取付部材を傷付けることはない。しかも、高さ調整手段によって押さえプレートの一端部分が取付部材面の面全体を押さえるので、取付部材の板厚が変化しても押さえる力は一定に維持でき、更に、押さえプレートは、高さ調整手段によって一端部分が取付部材面を平行に押さえるように調整できるので、平坦な板状体で形成することができ、従来の仮止め金具のようにＬ型部分を形成する必要がなくなる。
【０００８】
上記仮止め具において、押さえプレートは、金属材料であってもよいが、プラスチック材料のほぼ平坦な板として形成してもよい。また、高さ調整手段は、押さえプレートを貫通するように前記他端に設けられたナットと、該ナットに螺入して押さえプレートを貫通し一端が被取付部材に接触するボルト部材と、該ボルト部材の他端側に設けられてボルト部材を回転するためのノブとから構成することができる。押さえプレートの中間部分は両端よりも厚く形成された被取付部材取付部として形成され、該被取付部材取付部には、釘やビス等の固着具を打込むための、固着具穴が形成される。
【発明を実施するための最良の形態】
【０００９】
以下、本発明の１実施形態に係る、巾木等の仮止め具１０について、図面を参照して説明する。図３及び図４において、仮止め具１０は、一端の押さえ部１１と、押さえ部１１が取付部材に延び出るように取付けることのできる中間の取付部１３と、他端部分１４とから構成された平板形状の押さえプレート１５を包含し、被取付部材に取付けられると押さえ部１１で取付部材を押さえることができる。押さえプレート１５は、細長いほぼ平坦な板状体として、金属材料であってもよいが、プラスチック材料で一体成形されるのが好ましく、これにより、安価に大量生産できる。中間の取付部１３は、被取付部材への取付部と成るので、押さえ部１１及び他端部分１４より厚く形成されるのが好ましいが、押さえ部１１及び他端部分１４と同じ厚さに形成してもよい。取付部１３を押さえ部１１及び他端部分１４より厚く形成する場合、取付部１３は、例えば、取付部材が巾木のときには、その厚さより少し薄い厚さの分だけ突出する厚さに形成するのが好ましい。取付部１３には、例えば、図２の２重頭釘７やビス（図示せず）等の固着具を打込むための、固着具穴１７が形成されている。なお、押さえ部１１及び取付部１３の取付部材押さえ面には、フェルト等の柔らかい損傷防止材の薄層１２が設けられるのが好ましい。
【００１０】
押さえプレート１５の他端部分１４には、押さえ部１１が取付部材面を平行に押さえることができるように、高さ調整手段としての高さ調整部材１８が設けられている。高さ調整部材１８は、他端部分１４を貫通するように他端部分１４に固着されたナット１９と、ナット１９に螺入して押さえプレート１５を貫通し且つ一端（図４の下端）が被取付部材に接触するボルト部材２１と、ボルト部材２１の他端（図４の上端）側に設けられてボルト部材２１を回転するためのノブ２２とから構成される。図５に図示のように、ボルト部材２１は、ナット１９に螺入するボルト部分２３と、被取付部材に接触する下端の当接部２５と、ノブ２２が取付けられるようにピン穴２６が形成された上端部分を有する。ノブ２２は、ピン穴２６を貫通するピン２７によってボルト部材２１の上端に取付けられて、ボルト部材２１を回転するのに用いられる。なお、ピン２７をピン穴２６に係合するスプリングピンにしてもよく、当接部２５が被取付部材へ当接した後ノブ２２が空回りでき、過度の押圧を防止できる。ノブ２２は、図３及び４に図示のように、円形の大径フランジとボルト部材２１の上端を受入れる筒部とから成る。これらのナット１９、ボルト部材２１及びノブ２２は、金属製であってもよく、あるいは、硬質プラスチック製であってもよい。更に、ナット１９は、押さえプレート１５の他端部分１４に直接形成した雌ねじであってもよい。
【００１１】
図６は、仮止め具１０を用いて、取付部材としての、天井回りの縁木２９を、被取付部材としての壁部ボード３０に仮止めした様子を示す。縁木２９は、その裏面に接着剤が塗布されて、壁部ボード３０の天井に隣接する部分に貼り付けられる。接着剤が固化するまでの間、縁木２９は壁部ボード３０の所定位置に仮止め具１０によって一時的に押さえ付けられる。縁木２９が厚さ（壁部ボードからの高さ）Ａを有する場合、高さ調整部材１８のノブ２２を回転して、ボルト部材２１の当接部２５を壁部ボード３０に当接するように突出させる。この突出長さは、押さえ部１１が縁木２９の面を平行に押さえる長さに調整される。一般的には、突出長さすなわち高さＸは、縁木２９の厚さＡと同じ長さに調整すればよい。その調整後、押さえ部１１を縁木２９に合わせ、ボルト部材２１の当接部２５を壁部ボード３０に当接した状態でビス３１等の固着具を固着具穴１７に挿入してねじ込み、押さえプレート１５を壁部ボード３０に取付ける。この取付けにおいて、取付部１３が壁部ボード３０に接触するのが好ましいが、押さえ部１１が縁木２９の面と平行になって面全体を押さえていれば、壁部ボード３０から離れていてもよい。このように、押さえ部１１が縁木２９の面を平行に押さえるので、押さえ部１１の端縁が縁木２９に食い込むことはなく、縁木２９を傷付けることはない。高さ調整部材１８の高さ調整は、取付部材の板厚が変化したらノブ２２の回転によってその高さに合わせることができ、そのため取付部材の板厚が変化しても、押さえ部１１が取付部を押さえる力は一定に維持できる。更に、押さえプレート１５は、平坦な板状体で形成することができ、従来の仮止め金具のようにＬ型部分を形成する必要がなくなる。なお、接着剤が固化して縁木２９が壁部ボード３０に固着した後は、ビス３１を逆転して取外せば、取付部１３を壁部ボード３０から離すことができ、仮止め具１０を壁部ボード３０から取外すことができる。
【図面の簡単な説明】
【００１２】
【図１】従来の仮止め金具の斜視図である。
【図２】図１の仮止め金具や本発明の仮止め具を固定するのに用いることのできる２重頭釘の正面図である。
【図３】本発明の１実施形態に係る仮止め具の平面図である。
【図４】図３の仮止め具のIV−IV線断面図である。
【図５】高さ調整部材のボルト部材の正面図である。
【図６】図３の仮止め具を用いて縁木を壁部ボードに仮止めした様子を示す図である。
【符号の説明】
【００１３】
１  従来の仮止め金具
２  押さえ部
３  取付部
６  固着具穴
７  ２重頭釘
１０  本発明の仮止め具
１１  押さえ部（押さえプレート一端部分）
１２  損傷防止材薄層
１３  取付部（押さえプレート中間部分）
１４  他端部分
１５  押さえプレート
１７  固着具穴
１８  高さ調整部材
１９  ナット
２１  ボルト部材
２２  ノブ
２３  ボルト部分
２５  当接部
２６  ピン穴
２７  ピン
２９  縁木
３０  壁部ボード
３１  ビス
【図１】
2005113530.tif 000003
【図２】
2005113530.tif 000004
【図３】
2005113530.tif 000005
【図４】
2005113530.tif 000006
【図５】
2005113530.tif 000007
【図６】
2005113530.tif 000008